(57)【要約】【課題】音声認識エンジンに変更を加えることなく音声入力の誤認識に対して適切な対処を行なうこと。【解決手段】音声認識エンジン２０は、語彙と音声データとを対応付けた音声認識辞書２１を有しており、マイク４１から入力されたユーザの音声データに最も近い音声データに対応付けられた語彙を音声認識結果として出力する。音声入力処理ユニット１０内の確認出力部１１は、音声認識エンジン２０の認識結果をユーザに通知して確認させる処理を行なう。音声認識結果が正しければ、その音声認識結果をユーザの操作内容として入出力処理部３０に入力する。音声認識結果が誤認識であった場合、代替出力選択部１２が、代替案を選択し、ユーザに提示する。関連度設定部１３は、代替案が受け入れられた否かに基づいて音声認識結果と代替案の関連度を設定し、以降の代替案選択にフィードバックする。【選択図】        図１
2008250235.tif 000002
【特許請求の範囲】
【請求項１】
音声入力に対する音声認識結果を前記ユーザに対して出力する確認出力手段と、
前記確認出力の結果、前記音声認識結果が誤認識である場合に、代替入力を提示する代替出力選択手段と、
提示した前記代替入力が前記ユーザによって受け入れられたか否かによって前記誤認識した音声認識結果と前記提示した代替入力との関連度の値を設定する関連度設定手段と、
を備え、
前記代替入力提示手段は、前記誤認識した音声認識結果の関連度の値に基づいて前記代替入力を選択することを特徴とする音声入力処理装置。
【請求項２】
前記確認出力手段は、前記音声認識結果に対して所定値以上の関連度を有する代替入力が存在する場合に、前記音声認識結果を当該代替入力に置き換えて出力し、前記代替入力手段は当該置き換えた代替入力がユーザによって受け入れられなかった場合に、置き換えに用いた代替入力以外の代替入力を選択して提示することを特徴とする請求項１に記載の音声入力処理装置。
【請求項３】
前記音声入力および代替入力は、車載装置に対する操作入力であることを特徴とする請求項１または２に記載の音声入力装置。
【請求項４】
前記関連度設定手段は、前記代替入力をユーザが受け入れた場合には当該代替入力と前記誤認識であった音声認識結果との関連度の値を上昇させ、前記ユーザが物理操作手段を用いて前記代替入力とは異なる操作入力を行なった場合には当該操作入力と前記誤認識であった音声認識結果との関連度の値を上昇させることを特徴する請求項１〜３のいずれか一つに記載の音声入力処理装置。
【請求項５】
音声入力に対する音声認識結果を前記ユーザに対して出力する確認出力手段と、
前記音声認識結果が前記ユーザによって受け入れられたか否かによって前記音声認識結果と前記入力内容との関連度の値を設定する関連度設定手段と、
を備え、
前記確認出力手段は、前記音声認識結果に対して所定値以上の関連度を有する入力内容が存在する場合に、前記音声認識結果を当該入力内容に置き換えて出力することを特徴とする音声入力処理装置。
【請求項６】
前記音声入力は、車載装置に対する操作入力であることを特徴とする請求項５に記載の音声入力処理装置。
【請求項７】
前記関連度設定手段は、前記ユーザが物理操作手段を用いて前記音声認識結果とは異なる操作入力を行なった場合には当該操作入力と前記誤認識であった音声認識結果との関連度の値を上昇させることを特徴する請求項５または６に記載の音声入力処理装置。
【請求項８】
音声入力に対する音声認識結果を前記ユーザに対して出力する確認出力工程と、
前記確認出力の結果、前記音声認識結果が誤認識である場合に、代替入力を提示する代替出力選択工程と、
提示した前記代替入力が前記ユーザによって受け入れられたか否かによって前記誤認識した音声認識結果と前記提示した代替入力との関連度の値を設定する関連度設定工程と、
を含み、
前記代替入力提示工程は、前記誤認識した音声認識結果の関連度の値に基づいて前記代替入力を選択することを特徴とする音声入力処理方法。
【請求項９】
音声入力に対する音声認識結果を前記ユーザに対して出力する確認出力工程と、
前記音声認識結果が前記ユーザによって受け入れられたか否かによって前記音声認識結果と前記入力内容との関連度の値を設定する関連度設定工程と、
を含み、
前記確認出力工程は、前記音声認識結果に対して所定値以上の関連度を有する入力内容が存在する場合に、前記音声認識結果を当該入力内容に置き換えて出力することを特徴とする音声入力処理方法。
【発明の詳細な説明】
【技術分野】
【０００１】
この発明は、音声認識を用いて入力処理を行なう音声入力処理装置および音声入力処理方法に関し、特に、音声認識による誤認識に対して適切な対処を行なうことのできる音声入力処理装置および音声入力処理方法に関する。
【背景技術】
【０００２】
近年、利用者の音声を認識する技術の実現に向けて、各種考案がなされている。利用者の音声を認識することができれば、利用者は各種機器の操作を音声によって実行することが可能であり、特に車載装置では運転者による手動操作の運転への影響が懸念されることから音声操作技術の実用化が切望されている。
【０００３】
例えば、特許文献１および２は、音声によって所定の情報を入力する際に精度良くかつ短い処理時間で音声認識を行なうため、カテゴリ、語彙の順に照合を行なう技術を開示している。
【０００４】
また、特許文献３は、通常の照合とサブワード照合とを併用し、サブワード連結モデルを用いることで未知の語彙の発語を検出する技術を開示しており、特許文献４は、対話文脈情報から未知の語彙が属するカテゴリを推定する技術を開示している。
【０００５】
【特許文献１】特開２００６−７８８２９号公報
【特許文献２】特開平１１−３０５７９０号公報
【特許文献３】特開２００４−１７７５５１号公報
【特許文献４】特開２００１−２２８８９１号公報
【発明の開示】
【発明が解決しようとする課題】
【０００６】
ところで、音声認識を行なう際には、予め登録された音声認識辞書を参照し、入力されたユーザ音声に最も近い語彙を選択して音声認識結果として出力するが、この音声認識結果としてユーザ自身の意図とは異なる語彙が出力される、いわゆる誤認識が発生する場合がある。
【０００７】
このような誤認識は、ユーザの発声が不明瞭な場合の他、音声認識辞書に該当する語彙が登録されていない場合にも発生する。しかしながら、ユーザには誤認識が発生した理由が分からないため、何度も同じ言葉を発声して操作手順が進まなくなる対話のデッドロックが起きるという問題がある。
【０００８】
また、誤認識の発生時にユーザが音声入力を諦め、タッチパネルやスイッチなどの手動操作によって入力することも考えられるが、操作が二度手間になり、音声入力のメリットを享受することが出来ない。特に、車載装置では、車両走行中の手動での操作入力を規制しているので、操作を行なうために車両を停止させる必要があり、この問題が顕著である。
【０００９】
また、上述した従来技術のように、未知の（音声認識辞書に登録されていない）語彙が入力された場合にその単語の意味を推定して、新たに音声認識辞書に登録する構成では、音声認識エンジン自体の再調整が必要となり、処理能力の限られた車載装置には向かないという問題があった。
【００１０】
本発明は、上述した従来技術における問題点を解消し、課題を解決するためになされたものであり、音声認識エンジンに変更を加えることなく誤認識に対して適切な対処を行なうことのできる音声入力処理装置および音声入力処理方法を提供することを目的とする。
【課題を解決するための手段】
【００１１】
上述した課題を解決し、目的を達成するため、本発明にかかる音声入力処理装置および音声入力処理方法は、音声入力に対する音声認識結果を前記ユーザに対して出力する確認出力をおこなって、その結果、音声認識結果が誤認識である場合には代替入力を提示し、提示した代替入力がユーザによって受け入れられたか否かによって前記誤認識した音声認識結果と前記提示した代替入力との関連度の値を設定する。そして、代替入力提示手段は、誤認識した音声認識結果の関連度の値に基づいて代替入力を選択する。
【００１２】
また、本発明にかかる音声入力処理装置および音声入力処理方法は、音声入力に対する音声認識結果をユーザに対して出力する確認出力をおこなって、その結果、音声認識結果がユーザによって受け入れられたか否かによって音声認識結果と入力内容との関連度の値を設定する。そして、確認出力を行なう際、音声認識結果に対して所定値以上の関連度を有する入力内容が存在するならば、音声認識結果を当該入力内容に置き換えて出力する。
【発明の効果】
【００１３】
本発明によれば音声入力処理装置および音声入力処理方法は、誤認識発生時にユーザに対して代替出力を提示し、代替出力が受け入れられた否かを以降の代替入力選択にフィードバックするので、音声認識エンジンに変更を加えることなく誤認識に対して適切な対処を行なうことのできる音声入力処理装置および音声入力処理方法を得ることができるという効果を奏する。
【００１４】
また、本発明によれば音声入力処理装置および音声入力処理方法は、音声入力に対する音声認識結果をユーザに対して出力する確認出力する際に、音声認識結果に対して所定値以上の関連度を有する入力内容が存在するならば、音声認識結果を当該入力内容に置き換えて出力するので、誤認識の可能性が高い語彙を予め置き換えることで適切な入力内容を提示する可能性の高い音声入力処理装置および音声入力処理方法を得ることができるという効果を奏する。
【発明を実施するための最良の形態】
【００１５】
以下に添付図面を参照して、この発明に係る音声入力処理装置および音声入力処理方法の好適な実施の形態を詳細に説明する。
【実施例】
【００１６】
図１は、本発明の実施例である車載装置１の概要構成を示す概要構成図である。同図に示したように車載装置１は、その内部に音声認識エンジン２０、音声入力処理ユニット１０、関連度記億部１４、入出力処理部３０、マイク４１、スイッチ４２、タッチパネルディスプレイ４３、スピーカ４４、オーディオユニット４５およびナビゲーションユニット４６を有する。
【００１７】
スイッチ４２は、ユーザからの手動操作を受け付ける入力受け付け手段である。また、タッチパネルディスプレイ４３は、表示出力を行なうディスプレイと、ユーザからの手動操作を受け付けるタッチパネルとを一体化した入出力手段である。さらに、スピーカ４４は、ユーザに対して音声出力を行なう出力手段である。
【００１８】
オーディオユニット４５は、ラジオ放送やテレビ放送の受信、ＣＤ，ＤＶＤ，ＨＤなどの記録媒体に格納した音楽データや映像データの再生出力を行なうユニットであり、ナビゲーションユニット４６は自車両の位置情報と地図情報を用いて周辺施設や道路の案内、目的地までの誘導などを行なうユニットである。
【００１９】
入出力処理部３０は、各種入力手段からの入力に基づいて、オーディオユニット４５およびナビゲーションユニットを動作制御し、にタッチパネルディスプレイ４３からの表示出力制御、スピーカ４４からの表示出力制御を行なう。
【００２０】
さらに、車載装置１ではマイク４１、音声認識エンジン２０、音声入力処理部１０および関連度記億部１４によって音声入力を実現する。具体的には、マイク４１がユーザの音声を集音した場合に、音声認識エンジン２０がユーザの音声データに最も適合する言葉（テキストデータ）に変換する。音声入力処理ユニット１０は、このテキストデータがユーザから入力されたものとして入出力処理部３０への入力処理を行なう。
【００２１】
マイク４１がユーザ音声を集音する場合、常に音声を収集してその中からユーザ音声を切り出すこととしても良いが、ユーザが所定のスイッチ（いわゆるトークスイッチ）を押した場合に集音を開始するようにしてもよい。
【００２２】
音声認識エンジン２０は、語彙と音声データとを対応付けた音声認識辞書２１を有しており、マイク４１から入力されたユーザの音声データに最も近い音声データに対応付けられた語彙を音声認識結果として出力する。
【００２３】
ここで、音声認識辞書に予め登録されていない音声データが入力されると、登録された音声データのうち最も近い音声データが認識結果として出力されてもユーザ自身の意図とは異なる語彙が出力されることとなる。
【００２４】
そこで、音声入力処理ユニット１０は、音声認識エンジン２０による音声認識結果をそのまま操作入力として用いるのではなく、音声認識結果を一旦ユーザに出力することでその内容でよいかを確認させ、また必要に応じて音声認識結果を読み替える処理を行なう。
【００２５】
具体的には、音声入力処理ユニット１０は、その内部に確認出力部１１、代替出力選択部１２、関連度設定部１３を有し、関連度記億部１４と接続されている。
【００２６】
確認出力部１１は、音声認識エンジン２０の認識結果をユーザに通知して確認させる処理を行なう。例えば、音声認識結果として単語「Ａ」が認識された場合、確認出力部１１はスピーカ４４から「Ａですね？」などの音声を出力してユーザに音声認識結果を通知する。
【００２７】
その結果、ユーザが音声認識結果が正しいことを確認した場合、音声入力処理ユニット１０は、その音声認識結果をユーザの操作内容として入出力処理部３０に入力する。このようにして入力された後は、入出力処理部３０は、音声入力処理ユニット１０からの入力内容をスイッチ４２やタッチパネルディスプレイ４３からの入力と同様に扱う。
【００２８】
なお、ユーザによる音声認識結果の確認は、スイッチの手動操作によって行なっても良いが、音声入力によって「そう。」などの肯定を意味する単語を認識することが好適である。このように音声認識によって確認を行なうため、肯定、否定などの単語が予め登録され、十分な精度で認識可能であるようにすることが望ましい。音声によって確認の入力が可能となれば、車載装置１との対話によって操作を進めることができ、手動操作が不要となる。
【００２９】
一方、音声認識結果が誤認識であった場合（ユーザが音声認識結果の確認出力の内容を否定した場合、例えば「違う！」などの音声を認識した場合）、代替出力選択部１２が、代替案を選択し、ユーザに提示する。ユーザがこの提示を受け入れた場合、代替出力選択部１２は、この代替案をユーザの操作内容として入出力処理部３０に入力する。代替案がユーザによって受け入れられなければ、ユーザからスイッチ４２，タッチパネルディスプレイ４３などの手動操作による操作入力を受け付ける。
【００３０】
ここで、代替出力選択部１２は、関連度記億部１４を参照して代替出力を選択する。関連度記億部１４は、誤判定された音声認識結果と代替入力との対応を示す表を記憶している。
【００３１】
図２は、ナビゲーションユニット４６が周辺の飲食店を探索する場合を想定した関連度表である。同図に示した関連度表では、「うどん」、「そぱ」、「カレー」、「和食」、「洋食」の５つの語を例示している。
【００３２】
代替出力選択部１２は、この関連度表を参照し、音声認識結果に対応する関連度が最も高い単語を代替案として選択する。例えば、音声認識結果が「うどん」であれば、関連度が最も高い「和食」を代替案として選択し、提示する。この提示は、例えば音声によって「言葉が上手く聞き取れませんでした。『和食』のお店を紹介しましょうか？」などのように出力すればよい。
【００３３】
そして、代替案がユーザに受け入れられた場合（例えば音声入力で「じゃあ、お願い」などの入力を認識した場合）、関連度設定部１３は、その単語（今の例では「和食」）の関連度を増加させる。一方、代替案が受け入れられなかった場合、関連度設定部１３は、その単語の関連度を減少させ、ユーザが手動で入力した内容との関連度を増加させる。
【００３４】
このように、ユーザが代替案を受け入れたか否かを関連度の値に反映させ、以降の代替案選択にフィードバックさせることで、誤認識が発生した際に妥当な代替案を提示することが出来るようになる。
【００３５】
なお、関連度の設定については、その意味の関連性や音声の類似度などを考慮する必要は無い。これは、誤認識の結果「うどん」という語が出力されたとしても、元の発声内容が誤認識結果と意味の上での関連性を持つは限らないためである。
【００３６】
すなわち、関連度表は、音声認識結果が誤認識であることを前提に、その誤認識が発生した際にどの提案であればユーザが受け入れる可能性が高いか（受け入れた実績がどれだけあるか）、を示すものである。
【００３７】
例えば、図２に示した表では、「うどん」に対して同じく麺類である「そば」の関連度が高くなっているが、他のユーザでは「うどん」に対して提供までの時間が早いものとしてカレーや、図示しないファストフードの関連度が高くなる可能性もありえる。
【００３８】
なお、これは類似度表の設定手法の一つして、意味的に近いものや、上位のカテゴリに属する語に対して予め高い類似度を設定しておくことを妨げるものではない。例えば、「うどん」を内包するカテゴリである「和食」について予め高い類似度を設定しても良い。
【００３９】
また、直接に上位のカテゴリではなくとも、他の上位のカテゴリについても関連度は高めに設定しておくことも好適である。例えば、「うどん」と誤認識した場合、特定の料理名を提示するよりは、「洋食」のようにその中に多くの対象を含む語を提示した方がユーザによって許容される可能性が高くなる。
【００４０】
つづいて、図３のフローチャートを参照し、音声入力処理ユニット１０の処理動作について説明する。同図に示す処理動作は、音声認識エンジン２０がユーザの音声データの認識を行なった場合に開始する。
【００４１】
まず、音声入力処理ユニット１０は、音声認識エンジン２０から音声認識結果を取得し（ステップＳ１０１）、音声認識結果をユーザに対して出力して確認させる（ステップＳ１０２）。
【００４２】
そして、ユーザが音声認識結果を受け入れた場合（ステップＳ１０３，Ｙｅｓ）、すなわち、音声認識結果が正しい場合にはそのまま操作入力を実行して（ステップＳ１０４）、処理を終了する。
【００４３】
ユーザが音声認識結果を受け入れなかった場合（ステップＳ１０３，Ｎｏ）、代替出力選択部１２が音声認識結果に対して最も関連度が高い入力内容を代替案として出力する（ステップＳ１０５）。そして、ユーザが代替案を受け入れたならば（ステップＳ１０６，Ｙｅｓ）、音声認識結果と代替案の関連度の値を増加させ（ステップＳ１０７）、代替案の内容で操作入力を実行して（ステップＳ１０８）、処理を終了する。
【００４４】
また、ユーザが代替案を受け入れなかった場合（ステップＳ１０６，Ｎｏ）、関連度設定部１３は音声認識結果と代替案との関連度の値を減少させ（ステップＳ１０９）、入出力処理部３０がタッチパネやスイッチによる手動の操作入力を受け付ける（ステップＳ１１０）。音声入力処理ユニット１０は、入出力処理部３０が受け付けた操作内容を記録し（ステップＳ１１１）、その操作内容と音声認識結果との関連度を上昇させる（ステップＳ１１２）。そして、入出力処理部３０が操作入力を実行して（ステップＳ１１３）、処理を終了する。
【００４５】
このように、関連度の値を代替案の選択にフィードバックすることで、音声認識エンジン２０に修正を行なうことなく、誤認識発生時に適切な代替案を提示し、操作性を向上することが出来る。
【００４６】
また、頻繁に誤認識が発生する（すなわち関連度が高い）単語については、確認出力の段階で予めその内容を置き換えることとすれば、対話処理の数を減らし、ユーザの操作性をさらに向上することが出来る。
【００４７】
この場合の処理動作は、図４に示す様に、音声認識結果を取得した（ステップＳ１０１）後、音声認識結果に対して所定値以上の関連度を有する入力内容が存在する場合（ステップＳ１２０，Ｙｅｓ）には、音声認識結果の内容を、所定値以上の関連度を有する入力内容に置き換えて（ステップＳ１２１）から、ステップＳ１０２に移行するようにすれば良い。
【００４８】
図２〜図４の例では、ユーザの発声内容が施設（飲食店）などを検索するキーワードである場合を例に説明を行なった。このように施設を検索する場合には、ユーザの発声内容とは異なる言葉を代替案として提示し、その代替案が受け入れられる場合があるが、機器に対する操作を音声で行なう場合、ユーザは特定の操作を行なうことを求めているため元の意図とは異なる代替案が受け入れられる可能性は低い。
【００４９】
そこで、機器に対する操作を行なう場合には、音声認識結果を通知し、その内容がユーザの意図は異なる場合（誤認識した場合）には、スイッチやタッチパネルでユーザに操作を行なわせ、その操作内容を監視し、その結果を関連度に反映する。そして、確認出力の段階で所定値以上の関連度を有する操作内容（代替入力）が存在する場合は、音声認識結果を置き換えることで、音声認識エンジンにおいて発生した誤認識を解消する。
【００５０】
図５は、機器に対する操作を行なう場合を想定した関連度表である。同図に示した関連度表では、「ソースオフ」、「ＣＤにする」、「詳細」、「広域」の４つの入力例を示している。
【００５１】
なお、「ソースオフ」はオーディオ出力の音源表示を消去する操作、「ＣＤにする」はオーディオ出力の音源をＣＤに変更する操作、「詳細」は地図表示の縮尺を大きくする操作、「広域」は地図表示の縮尺を小さくする操作、にそれぞれ対応する。
【００５２】
図６に示すフローチャートは、機器に対する操作を行なう場合における声入力処理ユニット１０の処理動作である。同図に示す処理動作は、音声認識エンジン２０がユーザの音声データの認識を行なった場合に開始する。
【００５３】
まず、音声入力処理ユニット１０は、音声認識エンジン２０から音声認識結果を取得した（ステップＳ１０１）後、音声認識結果に対して所定値以上の関連度を有する入力内容が存在するか否かを判定し、所定地以上の関連度を有する入力内容が存在する場合（ステップＳ２０２，Ｙｅｓ）には、音声認識結果の内容を、所定値以上の関連度を有する入力内容に置き換える（ステップＳ２０３）。
【００５４】
その後、音声認識結果（もしくは置き換えられた代替案）をユーザに対して出力して確認させる（ステップＳ２０４）。その内容をユーザが受け入れた場合（ステップＳ２０５，Ｙｅｓ）、すなわち、確認出力の内容（音声認識結果もしくは代替案）が正しい場合にはそのまま操作入力を実行して（ステップＳ２０６）、処理を終了する。
【００５５】
ユーザが確認出力の内容を受け入れなかった場合（ステップＳ２０５，Ｎｏ）、関連度設定部１３は代替案を使用していれば音声認識結果に対する関連度の値を減少させ（ステップＳ２０７）、入出力処理部３０がタッチパネやスイッチによる手動の操作入力を受け付ける（ステップＳ２０８）。
【００５６】
音声入力処理ユニット１０は、入出力処理部３０が受け付けた操作内容を記録し（ステップＳ２０９）、その操作内容と音声認識結果との関連度を上昇させる（ステップＳ２１０）。そして、入出力処理部３０が操作入力を実行して（ステップＳ２１１）、処理を終了する。
【００５７】
このように、関連度の値を確認出力の選択にフィードバックすることで、音声認識エンジン２０に修正を行なうことなく、誤認識発生時に適切な代替案を提示し、操作性を向上することが出来る。
【００５８】
なお、このように確認段階で音声認識結果を読み替えることとすると、元々の入力操作を行なう際に誤認識が発生する場合がある。例えば、図５に示した例では音声認識結果として単語「詳細」が得られた場合に、「ソースオフ」の関連度が高くなっている。
【００５９】
これは、音声認識結果「詳細」が得られた場合に「詳細ですね？詳細表示に変更します」などのように確認出力すると、ユーザから否定されて手動でソースオフ操作を受け付けたケースが発生したためである。これと同じケースが繰り返されると、音声認識結果「詳細」を「ソースオフ」に読み替えて「ソースオフですか？ソース表示を消去します」のように確認出力するようになる。
【００６０】
しかし、その後はユーザが実際に「詳細」と発声し、それを正しく認識した場合であっても「ソースオフ」に読み替えてしまい、ユーザが手動で「詳細」の操作を行なう必要が生じてしまう。この点を考慮し、読み替え元の操作を手動で行なわれた場合には、その関連度を大きく減少させるようにしておくことが好適である。
【００６１】
以上説明してきたように、本実施例にかかる音声入力処理ユニット１０では、音声認識エンジン２０の認識結果に誤認識が発生した場合に、過去にユーザが受け入れた、もしくは操作した内容から設定した関連度に基づいて代替案を提示するので、音声認識エンジンに修正を行なうことなく誤認識による問題発生を回避し、操作性を向上することが出来る。
【００６２】
例えば、音声認識エンジンに登録されていない単語をユーザが発生した場合であっても、ユーザがその単語を繰り返し発言してデッドロックにいたることを防ぎ、ユーザの選択を誘導する対話を行なってユーザが少なくとも許容しうる入力を得ることが出来る。
【００６３】
また、誤認識の発生率の高い音声認識結果については、予めその入力内容を読み替えてユーザに確認を行なうことで、入力処理をさらに簡易化し、操作性を向上することが出来る。
【産業上の利用可能性】
【００６４】
以上のように、本発明にかかる音声入力処理装置および音声入力処理方法は、音声入力技術に有用であり、特に誤認識の補償に適している。
【図面の簡単な説明】
【００６５】
【図１】本発明の実施例である車載装置の概要構成を説明する説明図である。
【図２】検索キーワードに適用する場合の関連度表の具体例を示す図である。
【図３】図１に示した音声入力処理ユニットの処理動作を説明するフローチャートである。
【図４】誤認識頻度の高い単語に対して予め読み替えを行なう場合の処理動作を説明するフローチャートである。
【図５】機器の操作に適用する場合の関連度表の具体例を示す図である。
【図６】機器の操作時における処理動作を説明するフローチャートである。
【符号の説明】
【００６６】
１    車載装置
１０    音声入力処理ユニット
１１    確認出力部
１２    代替出力選択部
１３    関連度設定部
１４    関連度記億部
２０    音声認識エンジン
２１    音声認識辞書
３０    入出力処理部
４１    マイク
４２    スイッチ
４３    タッチパネルディスプレイ
４４    スピーカ
４５    オーディオユニット
４６    ナビゲーションユニット
【図１】
2008250235.tif 000003
【図２】
2008250235.tif 000004
【図３】
2008250235.tif 000005
【図４】
2008250235.tif 000006
【図５】
2008250235.tif 000007
【図６】
2008250235.tif 000008